(57)【要約】【課題】虫忌避剤を使用しないでもダニ等の害虫の増殖を抑制してダニ等の害虫による被害を防ぐことができるカーペットと、ダニ等の害虫による被害のない住宅を提供する。【解決手段】裏面材２と、この裏面材２の上に設けた表面材３とからなるカーペットＫ−１である。表面材３はカーペットの機能を有する布であり、裏面材２は吸放湿性を有するシート又は布である。敷設面１４に接着させる。【選択図】　図２
2004107833.tif 000002
【特許請求の範囲】
【請求項１】
裏面材と、この裏面材の上に設けられた表面材とからなり、前記表面材はカーペットの機能を有する布であり、前記裏面材は吸放湿性を有するシート又は布であることを特徴とするカーペット。
【請求項２】
裏面材と、この裏面材の上に載置されるか又は接着されている表面材とからなり、前記表面材はカーペットの機能を備えた布であり、前記裏面材は吸放湿性を有する板状体であることを特徴とするカーペット。
【請求項３】
請求項１又は２記載のカーペットを有する床が設けられていることを特徴とする住宅。
【請求項４】
吸放湿性を有する建材が部屋の壁又は天井に使用され、この部屋内の空気の湿度と屋外の空気の湿度を測定する湿度計と、屋外の空気と部屋内の空気とを換気する換気扇と、前記湿度計が測定した屋外の空気の湿度が部屋内の空気の湿度より小さくなると前記換気扇が自動的に駆動して屋外の空気と部屋内の空気とを換気する制御装置とが備えられていることを特徴とする住宅。
【請求項５】
ダニ等の害虫を排除する能力を有するフィルターと稼働時の騒音を防止する騒音防止装置を備えている空気清浄装置が布団近傍に設けられていることを特徴とする住宅。
【請求項６】
前記換気扇の換気能力が部屋の体積の２倍／ｈ以上である請求項４記載の構造と、前記空気清浄装置が０．２ｍ／ｓ以上の風速で常時稼働されている請求項５記載の構造とからなることを特徴とする住宅。
【発明の詳細な説明】
【０００１】
【発明の属する技術分野】
本発明は防虫機能を有するカーペットと防虫機能を有する住宅に関する。
【０００２】
【従来の技術】
従来、カーペットの内部にダニ等の害虫が生息し、人の皮膚を刺す等の害を及ぼすことがあるので、このダニ等の害虫を防除することに強い関心が寄せられている。
特に、人の体質によってはダニがアレルギー症状の原因になることがあり、かかる人が住む住宅ではカーペットの内部に生息しているダニの防除が急務になっている。
【０００３】
このカーペットの内部に生息しているダニ等の害虫を防除する従来多く採用されている方法は、虫忌避剤をカーペットの上に散布する方法であるが、虫忌避剤を散布しても、しばらくすると、虫忌避剤が蒸発して消失するので、虫忌避剤を度々散布する必要があり高価になると同時に、この虫忌避剤が皮膚に付着して炎症を起こす等の安全性に問題があった。
【０００４】
かかる問題を解決するカーペットとして、特許文献１や特許文献２には、内部に虫忌避剤を含むマイクロカプセルを裏面材（公報には裏打ち層とある）やカーペットの表面のパイルに固着させたカーペットが提案されている。
このカーペットでは、内部に生息する虫忌避剤がマイクロカプセルの皮膜を通って少しずつ放出され、カーペットの内部に生息しているダニ等の害虫を死滅させ、駆除される。
【０００５】
このダニ等の害虫は上記カーペットだけでなく、畳や布団や部屋の隅に積もった埃等にも生息していて、このダニ等の害虫を駆除する必要がある。
尚、寝具を吸放湿性にする方法としては、特許文献３に記載されている調湿性寝具が知られている。
この特許文献３に記載されている調湿性寝具は、粒状シリカゲルを接着、固定した透湿性を有する基材シートと、この基材シートを接着固定するための接着シートと、カバーシートとからなるものである。
又、屋内の空気を換気する構造としては、特許文献４や特許文献５に記載されている構造が知られている。
【０００６】
【特許文献１】
特開２０００−３２８４６３号公報
【特許文献２】
特開２００１−２０７３７８号公報
【特許文献３】
特開平８−８４６４１号公報
【特許文献４】
実用新案登録第３０６５９４２号
【特許文献５】
特許第２５８５４５８号
【０００７】
【発明が解決しようとする課題】
しかし、上記特許文献１や特許文献２に記載されている内部に虫忌避剤を含むマイクロカプセルを固着させたカーペットでは、内部の虫忌避材が少しずつ放出され、効果が長時間継続されるが、放出期間が過ぎると、内部の虫忌避剤がなくなり、ダニ等の害虫が発生するようになる。
このようになると、再びカーペットの内部や表面に虫忌避剤を含むマイクロカプセルを固着させる必要があり、根本的な解決にはならない。
【０００８】
そこで、虫忌避剤を使用することなくダニ等の害虫を防ぐことができないかという考えに基づいてダニ等の害虫の生態を研究したとたろ、ダニ等の害虫はカーペットに多くの湿気が含まれたときに増殖することを突き止めた。
更に、研究をしたところ、ダニが繁殖し難い湿度は７０％未満であり、カーペットに含まれる湿度を７０％未満に保ことによってダニ等の害虫による被害を防ぐことができることを発見した。
【０００９】
そして、この方法は畳の中や布団の中に生息しているダニ等の害虫による被害を防ぐ方法にも応用できることを発見し、本発明を完成させたのである。
尚、特許文献３に記載されている寝具を乾燥させる調湿性寝具は、就寝中に大量の水分が人から放出され、寝具の中に吸収されるので、寝具中に粒状シリカゲルを含ませるだけでは、寝具が十分に乾燥させることができず、この就寝中にダニ等の害虫が繁殖するという問題の解決にはならない。
【００１０】
又、特許文献４や特許文献５に記載されている方法は、屋内の空気を外気に換気するだけであって、雨時等では部屋の湿度が７０％を超えることが度々あり、絶えずダニ等の害虫を駆除する程、部屋内の空気を乾燥させることができない。又、布団等の寝具の中のダニ等の害虫を駆除しようとしても、布団等の寝具に虫忌避剤を散布することができない。
【００１１】
このように、従来、布団の内部に生息しているダニ等の害虫を防除する適当な方法がなかった。
そこで、本発明の目的は、虫忌避剤を使用しないでもダニ等の害虫の増殖を抑制してダニ等の害虫による被害を防ぐことのできるカーペットと、ダニ等の害虫による被害のない住宅を提供することである。
【００１２】
【課題を解決するための手段】
本発明は上記目的を達成するためになしたものであって、請求項１記載の発明は、裏面材と、この裏面材の上に設けられた表面材とからなり、前記表面材はカーペットの機能を有する布であり、前記裏面材は吸放湿性を有するシート又は布であるカーペットを特徴とするものである。
【００１３】
請求項２記載の発明は、裏面材と、この裏面材の上に載置されるか又は接着されている表面材とからなり、前記表面材はカーペットの機能を有する布であり、前記裏面材は吸放湿性を有する板状体であるカーペットを特徴とするものである。
【００１４】
請求項３記載の発明は、請求項１又は２記載のカーペットを備えた床が設けられている住宅を特徴とするものである。
【００１５】
請求項４記載の発明は、吸放湿性を有する建材が部屋の壁又は天井に使用され、この部屋内の空気の湿度と屋外の空気の湿度を測定する湿度計と、屋外の空気と部屋内の空気とを換気する換気扇と、前記湿度計が測定した屋外の空気の湿度が部屋内の空気の湿度より小さくなると前記換気扇が自動的に駆動して屋外の空気と部屋内の空気とを換気する制御装置とが備えられている住宅を特徴とするものである。
【００１６】
請求項５記載の発明は、ダニ等の害虫を排除する能力を有するフィルターと稼働時の騒音を防止する騒音防止装置を備えている空気清浄装置が布団近傍に設けられている住宅を特徴とするものである。
【００１７】
請求項６記載の発明は、前記換気扇の換気能力が部屋の体積の２倍／ｈ以上である請求項４記載の構造と、前記空気清浄装置が０．２ｍ／ｓ以上の風速で常時稼働されている請求項５記載の構造とからなる住宅を特徴とするものである。
【００１８】
請求項１と請求項２記載の表面材に使用するカーペットの機能を有する布とは、カーペットとしての必要な条件であるクッション性や感触を有し、この布のみでカーペットとして機能するものをいう。かかる布としては、天然繊維や合成繊維等の糸を織ったり、編んだりした布や、上記糸を積層した不織布等の布等がある。更に、表面にパイルが設けられていてもよいし、縫製したものでもよい。勿論、市販のカーペットが使用されてもよい。
【００１９】
請求項１記載の裏面材に使用する吸放湿性を有する布とは、天然繊維や合成繊維等の糸を織ったり、編んだりした布や、上記糸を積層した不織布等は勿論のこと、ガラス繊維等の無機質の糸を織った布等であって、大きな吸放湿性を有する布をいう。
かかる吸放湿性の布としては、織ったり、編だりした布や、積層して不織布の糸の間にシリカゲルや珪藻土やゼオライト等の吸放湿性を有する物質を付着させた布や、吸放湿性の大きな糸を織ったり編んだ布や、積層した不織布等がある。
【００２０】
又、請求項１記載の裏面材に使用する吸放湿性を有するシートとは、合成樹脂やゴム等の大きな吸放湿性を有するシートをいう。
かかる吸放湿性を有するシートとしては、大きな吸放湿性を有する合成樹脂をシート状に成形したシートや、合成樹脂やゴム等の中にシリカゲルや珪藻土やゼオライト等の吸放湿性の大きな物質を含ませてシート状に成形したシートや、吸放湿性の大きな物質を表面に付着させたシート等がある。
【００２１】
請求項１記載の発明では、裏面材の上に表面材が設けられているが、このように裏面材の上に表面材を設ける手段としては、種々ある。
例えば、裏面材の上に表面材を単に載置してもよいし、裏面材とこの裏面材の上に載置した表面材とを接着剤で接着したり、縫い合わせてもよい。
【００２２】
請求項２記載の裏面材に使用する吸放湿性を有する板状体とは、大きな吸放湿性を有する板状体であり、床の上に敷いた板状体であってもよいし、化粧床材等のように床を構成する板状材であってもよい。
かかる吸放湿性を有する板状体としては種々ある。例えば、珪藻土等の吸放湿性の大きな物質を板状に焼成したり、珪藻土やシリカゲルやゼオライト等の吸放湿性の大きな粉末を接着剤で板状に固めたり、石膏等の透湿性と吸放湿性の大きな物質であってもよいし、更に、この石膏等の中に、この石膏より更に吸放湿性の大きな珪藻土やシリカゲルやゼオライト等を含ませて板状に成形したもの等がある。
【００２３】
ここで、吸放湿性を有する布やシートや板状体とは、内部に大量の水分を保持することができる布やシートや板状体であって、この布やシートや板状体の内部にある水分と周囲にある空気の湿気とが平衡状態を保っていて、この平衡状態より周囲にある空気の湿気の方が多くなると、布やシートや板状体がこの周囲にある空気から湿気を吸収し、周囲にある空気の湿気が平衡状態より少なくなると、布やシートや板状体から周囲にある空気に水分を放出する性質を有するものである。
【００２４】
請求項３記載の発明では、請求項１又は２記載のカーペットを備えた床が設けられている住宅であるが、このように、カーペットを備える手段としては適宜でよい。例えば、予め設けられている床の上に請求項１記載のカーペットを敷いたり、床の上に請求項２記載のカーペットを取り付けたり、床下地材の上に裏面材を取り付け、この裏面材の上に表面材を設けたり、化粧床材等に裏面材を使用して床を形成し、この裏面材の上に表面材を設ける等がある。
【００２５】
請求項４記載の発明における部屋内の空気の湿度と屋外の空気の湿度を測定する湿度計とは、部屋内の空気の湿度と屋外の空気の湿度のどちらが大きいかを判別できるように測定すればよいので、個別の湿度を測定できなくともよい。勿論、個別の湿度を測定するものであってもよい。
請求項４記載の発明に使用する吸放湿性を有する建材とは、請求項２記載の発明に使用される吸放湿性を有する板状体と同じ種類の板状体をいう。
請求項４記載の換気扇の換気能力は適宜でよいが、請求項６記載のように部屋の体積の２倍／ｈ以上であることが望ましい。
又、請求項５記載の空気清浄装置の風速は適宜でよいが、請求項６記載のように０．２ｍ／ｓ以上であり、且つ、常時稼働させることがダニ等の害虫を多く取り除くことができ、望ましい。
【００２６】
（作用）
請求項１記載の発明では、表面材がカーペットの機能を有する布であるので、この床は通常のカーペットを敷いた感触と略同じであり、違和感がない。
しかも、裏面材が吸放湿性を有するシート又は布であるので、裏面材近傍の空気の湿度が多くなると、裏面材である吸放湿性を有するシートまたは布が湿気を吸収し、この湿気を裏面材近傍の空気の湿度が少なくなったときに放出する。
【００２７】
従って、裏面材近傍は湿度の小さい状態に保たれ、その結果、この裏面材の上に設けられたカーペットである表面材が例えば湿気が７０％以下というようにダニ等の害虫の増殖を防ぐ状態に保持され、ダニ等の害虫による被害を減らすことができるのである。
このようにして、虫忌避剤を使用しなくとも、ダニ等の害虫による被害を少なくすることができ、高価な虫忌避剤を度々散布する必要もなく維持費が高価にならないし、虫忌避剤による炎症等も発生しない。
【００２８】
請求項２記載の発明では、表面材はカーペットの機能を有する布であるので、この床は通常のカーペットを敷いた感触と略同じであり、違和感がない。
しかも、裏面材が吸放湿性を有する板状体であるので、裏面材近傍の空気の湿度が多くなると、裏面材である吸放湿性を有する板状体が湿気を吸収し、この湿気を裏面材近傍の空気の湿度が少なくなったときに放出する。
【００２９】
従って、裏面材近傍は湿気の小さい状態に保たれ、その結果、この裏面材の上に設けられたカーペットである表面材が例えば湿気が７０％以下というようにダニ等の害虫の増殖を防ぐ状態に保持され、ダニ等の害虫による被害を減らすことができるのである。
このようにして、虫忌避剤を使用しないでも、ダニ等の害虫による被害を少なくすることができ、高価な虫忌避剤を度々散布する必要もなく維持費が高価にならないし、虫忌避剤による炎症等も発生しない。
【００３０】
請求項３記載の発明では、請求項１又は２記載のカーペットを備えた床が設けられている住宅であるので、このカーペットを備えた床には、ダニ等の害虫による被害がなく、極めて居住性のよい住宅となる。
【００３１】
請求項４記載の発明では、吸放湿性を有する建材が部屋の壁又は天井に使用され、この部屋内の空気の湿度と屋外の空気の湿度を測定する湿度計と、屋外の空気と部屋内の空気とを換気する換気扇と、前記湿度計が測定した屋外の空気の湿度が部屋内の空気の湿度より小さくなると、前記換気扇が自動的に駆動して屋外の空気と部屋内の空気とを換気する制御装置とが備えられているので、部屋内の空気の湿度と屋外の湿度が共に大きいときには、制御装置が稼働せず、部屋内の空気の湿気を壁や天井に使用されている吸放湿性を有する建材が吸収して部屋内の空気の湿度が小さくなる。尚、部屋内の空気の湿度が屋外の空気の湿度より小さいときには、制御装置が稼働させず、部屋の空気の湿度が小さいままである。
【００３２】
又、屋外の空気の湿度が部屋内の空気の湿度より小さくなると、制御装置によって換気扇が自動的に駆動し、屋外の空気と部屋内の空気とが換気されて部屋内の空気の湿度が小さくなる。更に、このようにして、屋外の空気と部屋内の空気とが換気されて部屋内の空気の湿度が小さくなると、吸放湿性の大きい建材が吸収していた湿気が部屋内に出て、部屋内の空気と一緒に屋外に放出される。
【００３３】
このようにして、部屋内の空気は絶えず湿気を多く含まない状態が保たれ、この部屋内にあるカーペット、畳、隅部に積もった塵の中の空気の湿度が、例えば、７０％以下というようにダニ等が繁殖し難い状態になり、ダニ等の害虫による被害を減らすことができるのである。
【００３４】
請求項５記載の発明では、ダニ等の害虫を排除する能力を有するフィルターを備えている空気清浄装置が布団近傍に設けられているので、この空気清浄装置を稼働させると、布団の内部に存在するダニ等の害虫を周囲の空気と一緒に空気清浄装置が吸い取り、ダニ等の害虫をフィルターで排除することができる。
又、この空気清浄装置には、騒音防止装置が備えられているので、就寝の邪魔にはならない。
【００３５】
請求項６記載の発明では、前記換気扇の換気能力が部屋の体積の２倍／ｈ以上である請求項４記載の構造と、前記空気清浄装置が０．２ｍ／ｓ以上の風速で常時稼働されている請求項５記載の構造とからなるので、部屋内の空気の湿度が屋外の空気の湿度より大きくなると、換気扇の換気能力が部屋の体積の２倍／ｈ以上というように好ましい換気能力で速く換気され、その結果、部屋の内部が湿度の小さい状態に保たれてダニ等の害虫の増殖を防ぐとともに、常時、空気清浄装置が風速０．２ｍ／ｓという好ましい速度で稼働して、布団の周囲の環境を部屋内の空気の湿度と略同じ、即ち、ダニ等の害虫が増殖し難い環境に保つと共に、布団の中のダニ等の害虫を吸収して排除し、ダニ等の害虫による被害を減らすことができる。
【００３６】
【発明の実施の形態】
次に、本発明の実施の形態を実施例で説明する。
（実施例１）
図１〜図５は本発明の一実施例を示すもので、図１は住宅の部屋を示す斜視図、図２は図１のＡ−Ａ線における断面図、図３は図１におけるＢ−Ｂ線における断面図、図４は図１におけるＣ−Ｃ線における断面図、図５は測定した湿度を示す図である。
【００３７】
図１〜図５において、Ｒは住宅の部屋である。
１は住宅の床であり、この床１はパーチクルボードの床下地材１１と、この床下地材１１の上に設けられた化粧合板のフローリング１２とからなる。
このフローリング１２の上にカーペットＫ−１を構成する裏面材２と表面材３を設ける。
即ち、フローリング１２の上に設けられた裏面材２は大きさが略１ｍ×２ｍの吸放湿繊維製の布（東洋紡績（株）製　商品名「モイスファイン」）を３枚重ねて敷いたものである。
【００３８】
又、裏面材２の上に設けられた表面材３は大きさが略１ｍ×２ｍの市販のナイロン繊維製のカーペットである。
又、フローリング１２の上にカーペットＫ−２を構成する裏面材４と表面材３を設ける。
即、フローリング１２の上に設けられた裏面材４は大きさが略１ｍ×２ｍのゼオライト製ボードの吸放湿性の板状体（鹿島建設（株）製　商品名「ブレースボード」）である。
表面材３は前記表面材と同じである。
５はカーペットであり、このカーペット５は表面材３と同じ市販のカーペットである。
【００３９】
次に、この部屋Ｒにおける湿度の測定方法及び作用について説明する。
部屋Ｒの床下地材１１の上に設けられたフローリング１２の上に吸放湿性の布を３枚重ねて敷いて裏面材２を設け、この裏面材２の上に表面材３を敷いて、カーペットＫ−１を設けた。
又、同じ部屋Ｒの別の場所にあるフローリング１２の上に吸放湿性の板状体を取り付けて裏面材４を設け、この裏面材４の上に表面材３を敷いて、カーペットＫ−２を設けた。
又、同じ部屋Ｒの更に別の場所にあるフローリング１２の上にカーペット５を敷いた。
【００４０】
そして、部屋Ｒの空間の略中央の位置Ｐ１の湿度Ｈ１、カーペットＫ−１の表面材３表面の略中央の位置Ｐ２の湿度Ｈ２、カーペットＫ−２の表面材３表面の略中央の位置Ｐ３の湿度Ｈ３、カーペット５表面の略中央の位置Ｐ４の湿度Ｈ４をそれぞれ２時間毎に３日間測定し、その結果を図５に示す。
この図５から判るように、カーペットＫ−１とＫ−２の表面材３表面の湿度は、部屋Ｒの空気の湿度より略１０％少なく、且つ、カーペット５表面の湿度より略２０％少ない。しかも、ダニ等の害虫が増殖し難い環境である湿度が略７０％以下に保たれていることが判る。
【００４１】
これは、カーペットＫ−１やＫ−２の裏面材２、４が吸放湿性を有する板状体であり、裏面材２、４近傍の空気の湿度が多くなると、裏面材２、４である吸放湿性を有する布や板状体が湿気を吸収し、この湿気を裏面材２、４近傍の空気の湿度が少なくなったときに放出するからである。
実際に、図２及び図３に示す床を設けて、夏を経過したが、ダニ等の害虫の発生がなかった。
【００４２】
このように、ダニ等の害虫を虫忌避剤を使用しないでも、ダニ等の害虫による被害を少なくすることができ、虫忌避剤を度々散布する必要もなく、維持費が高価にならないし、虫忌避剤による炎症等も発生しない。
又、表面材４はカーペット５と同じ市販のカーペットであるので、この図２及び図３に示す床では、通常のカーペット５を敷いた感触と略同じで、違和感がなく、居住性がよい。
【００４３】
（実施例２）
図６〜図９は本発明の他の実施例を示すもので、図６は住宅の子供部屋を示す垂直断面図、図７は換気扇を示す断面図、図８は南窓側のカーペットの表面の湿度を示す図、図９は北側のカーペットの表面の湿度を示す図である。
【００４４】
図６〜図９において、Ｒａは住宅の子供部屋である。
６ａは子供部屋Ｒａの壁であり、この壁６ａは厚み１２ｍｍの石膏ボードの吸放湿性を有する壁下地材とこの壁下地材の内側に張り付けられた紙製の化粧材とからなり、南側には窓６１ａが設けられ、この窓６１ａの上方には換気扇７ａが取り付けられている。
６５ａは子供部屋Ｒａの天井であり、この天井６５ａは厚み１２ｍｍの石膏ボードの吸放湿性を有する天井下地材と、この天井下地材の室内側に張り付けられた岩綿製の化粧材とからなる。
【００４５】
６６ａは子供部屋Ｒａの床であり、この床６６ａはパーチクルボードの床下地材と、この床下地材の上に設けられたフローリングと、このフローリングの上に敷かれたカーペットとからなる。
この換気扇７ａは、図７に示すように、排気通路７１ａと給気通路７６ａとが設けられている。
【００４６】
排気通路７１ａには、フィルター７２ａと排気ファン７３ａとグラスウール（２５〜４０Ｋで厚みが１０ｍｍ）製の吸音材７４ａが設けられ、排気ファン７３ａが駆動すると、矢印Ｘで示すように、子供部屋Ｒａ内の空気がフィルター７２ａを通って屋外に排気されるようになっている。この子供部屋Ｒａ内の空気が排気されるときに発生する騒音は吸音材７４ａによって吸収され騒音が発生しないようになっている。
【００４７】
又、給気通路７６ａには、フィルター７７ａと給気ファン７８ａとグラスウール（２５〜４０Ｋで厚みが１０ｍｍ）製の吸音材７９ａが設けられ、給気ファン７８ａが駆動すると、矢印Ｙで示すように、屋外の空気がフィルター７７ａを通って子供部屋Ｒａに入るようになっている。この屋外の空気が給気されるときに発生する騒音は吸音材７９ａによって吸収され騒音が発生しないようになっている。
尚、吸音材７４ａ、７９ａがロックウール製の吸音材であってもよい。
【００４８】
又、排気通路７１ａの入口には室内湿度センサー７０ａが設けられ、給気通路７６ａの出口には外気湿度センサー７５ａが設けられている。
そして、この換気扇７ａは、壁６ａに設けられた通孔に挿入されて取り付けられていて、屋内側の先端部の外周面には鉛板製の制振材Ｍが取り付けられ、換気扇７ａが稼働したときに、換気扇７ａが振動しないようになっている。このように換気扇７ａが振動しないようになっているので、換気扇７ａを稼働させても振動による騒音が発生しない。
【００４９】
尚、この換気扇７ａの換気能力は部屋の体積の２倍／ｈ以上である１００〜１５０ｍ３　／ｈとなっている。
８ａはベットであり、このベットの上には布団８１ａが敷かれている。
９ａは空気清浄装置であり、この空気清浄装置９ａは布団８１ａ近傍に設けられ、布団８１ａ近傍の空気を吸い取り、この空気清浄装置９ａの内部に設けられている図示しないフィルターを通して室内に放出するようになっている。
尚、この空気清浄装置の風速は０．２ｍ／ｓ以上となっている。
【００５０】
次に、この子供部屋Ｒａのダニ等の害虫を駆除する方法及び作用について説明する。
先ず、図示しない制御装置を取り付け、外気センサー７５ａが測定した湿度と室内湿度センサー７０ａが測定した湿度を比較し、外気センサー７５ａが測定した湿度が室内湿度センサー７０ａが測定した湿度より小さくなると、換気扇７ａが稼働し、反対になると換気扇７ａの稼働が停止するようにする。
【００５１】
従って、子供部屋Ｒａ内の空気の湿度と屋外の湿度が共に大きいときには、制御装置が稼働せず、子供部屋Ｒａ内の空気の湿気を壁６ａや天井６５ａに使用されている吸放湿性を有する壁下地材や天井下地材が吸収して子供部屋Ｒａ内の空気の湿度が小さくなる。尚、子供部屋Ｒａ内の空気の湿度が屋外の空気の湿度より小さいときには、制御装置が稼働せず、部屋の空気の湿度が小さいままになっている。
【００５２】
そして、屋外の空気の湿度が、子供部屋Ｒａ内の空気の湿度より小さくなると換気扇７ａが自動的に駆動して屋外の空気と子供部屋Ｒａ内の空気とを換気し、子供部屋Ｒａの内部の湿度が小さくなる。更に、このようにして、この子供部屋Ｒａの内部の湿度が小さくなると壁６ａや天井６５ａに使用されている吸放湿性の大きい壁下地材や天井下地材が既に吸収している湿気が自然に子供部屋Ｒａ内に出て、子供部屋Ｒａ内の空気と一緒に屋外に放出される。
【００５３】
このようにして、子供部屋Ｒａ内の空気は絶えず湿気を多く含まない状態が保たれ、この子供部屋Ｒａ内にあるカーペット、隅部に積もった塵の中の空気の湿度が、例えば、７０％以下というようにダニ等が繁殖し難い状態になり、ダニ等の害虫による被害を減らすことができる。
又、空気清浄装置９ａを常時駆動させる。
【００５４】
すると、布団８１ａの周囲の環境を子供部屋１内の空気の湿度と略同じ、即ち、ダニ等の害虫が増殖し難い環境に保つと共に、空気清浄装置９ａが布団８１ａの周囲の空気と一緒にダニ等の害虫を吸い取り、布団の内部に存在するダニ等の害虫をフィルターで排除することができる。
【００５５】
この効果を調べるために、南窓側のカーペットの表面と北側のカーペットの表面に湿度計を設置し、換気扇７ａと空気清浄装置９ａを稼働させないときの南窓側のカーペットの表面の湿度Ｈａ−１の変化と、制御装置で換気扇７ａを駆動させると同時に空気清浄装置９ａを常時駆動させたときの南窓側のカーペットの表面の湿度Ｈａ−２の変化を２日間測定し、この結果を図８に、又、換気扇７ａと空気清浄装置９ａを稼働させないときの北側のカーペットの表面の湿度Ｈａ−３の変化と、制御装置で換気扇７ａを駆動させると同時に空気清浄装置９ａを常時駆動させたときの北側のカーペットの表面の湿度Ｈａ−４の変化を２日間測定し、この結果を図９に示す。
【００５６】
この図８と図９から判るように、子供部屋Ｒａの湿度Ｈａ−１、Ｈａ−３より制御装置で換気線７ａを稼働させると同時に空気清浄装置９ａを稼働させたときの子供部屋Ｒａの湿度Ｈａ−２、Ｈａ−４が小さく、しかも略湿度が７０％以下に保たれ、カーペットの内部のダニ等の害虫の繁殖が押さえらる環境になっていることが判る。
実際にカーペットの内部のダニ等の害虫を調べた結果、殆ど、ダニ等の害虫が存在しなかった。
又、布団の中にダニ等の害虫を調べた結果、ダニ等の害虫が極めて少なかった。
【００５７】
このように、カーペットの中や布団の中のダニ等の害虫が吸い取って排除されるので、ダニ等の害虫による被害を減らすことができ、極めて居住性のよい部屋である。
尚、この空気清浄装置９ａには、吸音材や制振材等の騒音防止装置が備えられているので、空気清浄装置９ａを稼働させても、騒音は殆ど発生せず、就寝の邪魔にはならない。
【００５８】
【発明の効果】
請求項１記載の発明は、表面材はカーペットの機能を有する布であり、裏面材は吸放湿性を有するシート又は布であるから、この床は通常のカーペットを敷いた感触と略同じであり、違和感がないし、裏面材の上に設けられた表面材が例えば湿気が７０％以下というようにダニ等の害虫の増殖を防ぐ状態に保たれ、ダニ等の害虫による被害を減らすことができるのである。
このようにして、虫忌避剤を使用しなくとも、ダニ等の害虫による被害を少なくすることができ、高価な虫忌避剤を度々散布する必要もなく維持費が高価にならないし、虫忌避剤による炎症等も発生しない。
【００５９】
請求項２記載の発明は、表面材はカーペットの機能を有する布であり、裏面材が吸放湿性を有する板状体であるから、この床は通常のカーペットを敷いた感触と略同じであり、違和感がないし、裏面材の上に設けられた表面材が例えば湿気が７０％以下というようにダニ等の害虫の増殖を防ぐ状態に保たれ、ダニ等の害虫による被害を減らすことができるのである。
このようにして、虫忌避剤を使用しないでも、ダニ等の害虫による被害を少なくすることができ、高価な虫忌避剤を度々散布する必要もなく維持費が高価にならないし、虫忌避剤による炎症等も発生しない。
【００６０】
請求項３記載の発明は、請求項１又は２記載のカーペットを備えた床が設けられている住宅であるから、このカーペットを備えた床は、ダニ等の害虫による被害がなく、極めて居住性のよい住宅となる。
【００６１】
請求項４記載の発明は、吸放湿性を有する建材が部屋の壁又は天井に使用され、この部屋内の空気の湿度と屋外の空気の湿度を測定する湿度計と、屋外の空気と部屋内の空気とを換気する換気扇と、前記湿度計が測定した屋外の空気の湿度が部屋内の空気の湿度より小さくなると前記換気扇が自動的に駆動して屋外の空気と部屋内の空気とを換気する制御装置とが備えられているから、部屋内の空気は絶えず湿気を多く含まない状態、例えば、部屋内の湿度が７０％以下というようにダニ等が繁殖し難い状態に保たれ、ダニ等の害虫による被害を減らすことができるのである。
【００６２】
請求項５記載の発明は、ダニ等の害虫を排除する能力を有するフィルターを備えている空気清浄装置が布団近傍に設けられているから、この空気清浄装置を稼働させると、この空気清浄装置が周囲の空気と共にダニ等の害虫を吸い取り、フィルターで布団の内部に存在するダニ等の害虫を吸い取って排除することができる。
又、この空気清浄装置には、騒音防止装置が備えられているので、就寝の邪魔にはならない。
【００６３】
請求項６記載の発明は、前記換気扇の換気能力が部屋の体積の２倍／ｈ以上である請求項４記載の構造と、前記空気清浄装置が０．２ｍ／ｓ以上の風速で常時稼働されている請求項５記載の構造とからなるから、部屋内の空気の湿度が屋外の空気の湿度より大きくなると、換気扇の換気能力が部屋の体積の２倍／ｈ以上というように好ましい換気能力で速く換気され、その結果、部屋の内部が湿度の小さい状態に保たれてダニ等の害虫の増殖を防ぐことができるとともに、常時、空気清浄装置が風速０．２ｍ／ｓという好ましい速度で稼働して、布団の周囲の環境を部屋内の空気の湿度と略同じ、即ち、ダニ等の害虫が増殖し難い環境に保つと共に、布団の中のダニ等の害虫を空気清浄装置が吸い取り、フィルターで排除し、ダニ等の害虫による被害を減らすことができる。
【図面の簡単な説明】
【図１】本発明の一実施例を示すもので、住宅の床を示す斜視図である。
【図２】図１のＡ−Ａ線における断面図である。
【図３】図１のＢ−Ｂ線における断面図である。
【図４】図１のＣ−Ｃ線における断面図である。
【図５】測定した湿度を示す図である。
【図６】本発明の他の実施例を示すもので、住宅の子供部屋を示す垂直断面図である。
【図７】換気扇を示す断面図である。
【図８】南窓側のカーペットの表面の湿度を示す図である。
【図９】北側のカーペットの表面の湿度を示す図である。
【符号の説明】
Ｒ　　　　　　部屋
Ｋ−１、Ｋ−２　カーペット
１　　　　　　床
２　　　　　　裏面材（吸放湿性の布）
３　　　　　　表面材
４　　　　　　裏面材（吸放湿性の板状体）
５　　　　　　カーペット
Ｒａ　　　　　子供部屋
６ａ　　　　　壁
６５ａ　　　　天井
６６ａ　　　　床
７ａ　　　　　換気扇
８ａ　　　　　ベット
８１ａ　　　　布団
９ａ　　　　　空気清浄装置
【図１】
2004107833.tif 000003
【図２】
2004107833.tif 000004
【図３】
2004107833.tif 000005
【図４】
2004107833.tif 000006
【図５】
2004107833.tif 000007
【図６】
2004107833.tif 000008
【図７】
2004107833.tif 000009
【図８】
2004107833.tif 000010
【図９】
2004107833.tif 000011